(57)【要約】【課題】複数入力複数出力技術が使用されている間の、動作モードの度重なる切り換えによって発生する、通信サービスのジッタの問題を解決するための、通信モード選択方法及び装置を提供する。【解決手段】本発明は、通信端末の状態パラメータが所定の条件を満たす場合、空間多重技術に対応するモードを、端末と、対応する基地局との間の通信のモードとして選択することを含み、所定の条件は、アンテナの数が１より大きいことを少なくとも含む、通信モード選択方法を提供する。これにより、端末が、単一アンテナを使用している場合に、ＭＩＭＯ  Ｂモードに入ることが防止され、従って、ＭＩＭＯ  ＡモードとＭＩＭＯ  Ｂモードとの間の度重なる切り換えが発生しない可能性があり、その結果、度重なる切り換えによって発生するサービスジッタの問題が回避される。【選択図】図１
2013141208.tif 000002
【特許請求の範囲】
【請求項１】
端末の現在の状態パラメータを取得し、前記状態パラメータは、前記端末によって現在使用されているアンテナの数を少なくとも含み、
前記状態パラメータが所定の条件を満たす場合、空間多重技術に対応するモードを、前記端末と、対応する基地局との間の通信のモードとして選択すること
を含み、前記所定の条件は、前記アンテナの前記数が１より大きいことを少なくとも含む、通信モード選択方法。
【請求項２】
前記端末の前記現在の状態パラメータを取得することは、
前記端末によって送信された、現在使用されているアンテナの数を含むメッセージを受信し、
前記メッセージを解析することによって、前記端末によって現在使用されている前記アンテナの前記数を取得すること
を含む、請求項１に記載の方法。
【請求項３】
前記アンテナの前記数は、
受信アンテナの数、又は送信アンテナの数
を含む、請求項１に記載の方法。
【請求項４】
前記アンテナの前記数が、前記受信アンテナの前記数である場合、空間多重技術に対応するモードを、前記端末と、対応する基地局との間の通信のモードとして選択することは、
前記空間多重技術に対応するモードを、前記端末と、前記対応する基地局との間の下りリンク通信のモードとして選択すること
を含む、請求項３に記載の方法。
【請求項５】
前記アンテナの前記数が、前記送信アンテナの前記数である場合、空間多重技術に対応するモードを、前記端末と、対応する基地局との間の通信のモードとして選択することは、
前記空間多重技術を、前記端末と、前記対応する基地局との間の上りリンク通信のモードとして選択すること
を含む、請求項３に記載の方法。
【請求項６】
前記状態パラメータは、
前記端末の、現在の変調及び復調方法、及びビットエラーレート
を更に含む、請求項１に記載の方法。
【請求項７】
前記所定の条件は、
前記端末の、前記現在の変調及び復調方法が、最高次の方法であり、前記ビットエラーレートが、所定の値未満であること
を更に含む、請求項６に記載の方法。
【請求項８】
端末の現在の状態パラメータを取得するように構成された、状態パラメータ取得モジュールと、
前記状態パラメータが所定の条件を満たす場合、空間多重技術に対応するモードを、前記端末と、対応する基地局との間の通信のモードとして選択するように構成された、通信モード選択モジュールと
を備え、前記所定の条件は、アンテナの数が１より大きいことを少なくとも含む、通信モード選択装置。
【請求項９】
前記状態パラメータ取得モジュールは、
前記端末によって送信された、現在使用されているアンテナの数を含むメッセージを受信するように構成された、受信ユニットと、
前記メッセージを解析することによって、前記端末によって現在使用されている前記アンテナの前記数を取得するように構成された、解析ユニットと
を備える、請求項８に記載の装置。
【請求項１０】
前記装置は、基地局、又はモバイル通信端末に適用可能である、請求項８又は９に記載の装置。
【発明の詳細な説明】
【技術分野】
【０００１】
本発明は、通信の分野に関し、特に、通信モード選択方法及び装置に関する。
【背景技術】
【０００２】
近年、複数入力複数出力（Ｍｕｌｔｉｐｌｅ−Ｉｎｐｕｔ  Ｍｕｌｔｉｐｌｅ−Ｏｕｔｐｕｔ、ＭＩＭＯ）技術が、無線通信の分野における新たな技術として出現した。ＭＩＭＯ技術は、空間ダイバーシチ技術と、空間多重技術とを含み、空間ダイバーシチ技術を使用する通信モードは、ＭＩＭＯ  Ａモードと呼ばれ、空間多重技術を使用する通信モードは、ＭＩＭＯ  Ｂモードと呼ばれ、これらのうち、ＭＩＭＯ  Ｂモードは、ＭＩＭＯ技術のデータ容量が高いという、本質的な利点を真に実施する。ＭＩＭＯ  Ｂモードの使用の一般条件は、現在の動作モードにおける端末の変調及び復調方法が、６４ＱＡＭ−ＣＴＣ−５／６、すなわち、上りリンク又は下りリンクの最高次の方法であり、かつ、最高次の下で、ビットエラーレートが一定の範囲内（５％未満）である、又はビットエラーが発生しない、ということである。
【発明の概要】
【発明が解決しようとする課題】
【０００３】
基地局によって、端末がＭＩＭＯ  Ｂモードの使用の条件を満たすことが検出された場合、端末は、ＭＩＭＯ  Ｂモードに切り換えられ、ＭＩＭＯ  Ｂモードの動作原理に従って、基地局の、異なるアンテナによって伝送される信号は、異なる情報を含む。しかし、単一アンテナが、データを受信するために現在採用されている場合、この動作モードでは、受信アンテナは、情報の一部しか受信できず、情報の一部が失われ、結果として、最終的に、全ての受信されるデータパケットにビットエラーが発生する。この場合、高いビットエラーレートに従って、基地局は、端末を、ＭＩＭＯ  Ａモードに切り換えて戻し、そして、端末又は基地局によって、端末が、ＭＩＭＯ  Ｂモードに切り換える条件を満たすことが再び検出された場合、端末は、ＭＩＭＯ  Ｂ動作モードに再び切り換えられ、結果として、端末によって受信される全てのデータパケットにビットエラーが発生し、端末は、ＭＩＭＯ  Ａモードに再び切り換えて戻される。このような度重なる切り換えは、通信サービスのジッタを発生させる可能性がある。
【課題を解決するための手段】
【０００４】
従って、本発明は、複数入力複数出力技術が使用されている間の、動作モードの度重なる切り換えによって発生する、通信サービスのジッタの問題を解決するための、通信モード選択方法及び装置を提供する。
【０００５】
端末の現在の状態パラメータを取得し、状態パラメータは、端末によって現在使用されているアンテナの数を少なくとも含み、
状態パラメータが所定の条件を満たす場合、空間多重技術に対応するモードを、端末と、対応する基地局との間の通信のモードとして選択すること
を含み、所定の条件は、アンテナの数が１より大きいことを少なくとも含む、通信モード選択方法。
【０００６】
端末の現在の状態パラメータを取得するように構成された、状態パラメータ取得モジュールと、
状態パラメータが所定の条件を満たす場合、空間多重技術に対応するモードを、端末と、対応する基地局との間の通信のモードとして選択するように構成された、通信モード選択モジュールと
を含み、所定の条件は、アンテナの数が１より大きいことを少なくとも含む、通信モード選択装置。
【発明の効果】
【０００７】
実施形態によって提供される通信モード選択方法及び装置では、端末によって現在使用されている受信又は送信アンテナの数を、端末と基地局との間の通信のためにＭＩＭＯ  Ｂモードが使用されるかどうかを決定するための必要条件として考慮し、受信又は送信アンテナの数が１である場合、ＭＩＭＯ  Ｂモードに入ることが拒否され、これにより、端末が、単一アンテナを使用している場合に、ＭＩＭＯ  Ｂモードに入ることが防止され、従って、ＭＩＭＯ  ＡモードとＭＩＭＯ  Ｂモードとの間の度重なる切り換えが発生しない可能性があり、その結果、度重なる切り換えによって発生するサービスジッタの問題が回避される。
【０００８】
本発明の実施形態における、又は従来技術における技術的解決法をより明確に説明するために、実施形態、又は従来技術を説明するために必要な添付の図面について、以下に簡単に紹介する。明らかに、以下の説明における添付の図面は、本発明の実施形態のうちのいくつかを示すものにすぎず、当業者は、添付の図面に従って、創造的な活動を行うことなく、その他の図面を取得することが可能である。
【図面の簡単な説明】
【０００９】
【図１】本発明の実施形態によって提供される通信モード選択方法のフローチャートである。
【図２】本発明の実施形態によって提供される通信モード選択方法における、端末の状態パラメータを取得する方法のフローチャートである。
【図３】本発明の実施形態によって提供される通信モード選択装置の概略構成図である。
【発明を実施するための形態】
【００１０】
本発明は、端末によって現在使用されているアンテナの数を、端末と基地局との間の通信モードを選択するための条件の１つとして考慮し、アンテナの数が１より大きい場合、端末が、空間多重技術に対応するモードを、通信のために選択することが可能な、通信モード選択方法及び装置を提供する。
【００１１】
本発明の実施形態の技術的解決法について、本発明の実施形態における添付の図面を参照して、以下に、明確かつ完全に説明する。明らかに、説明される実施形態は、本発明の全ての実施形態ではなく、本発明のいくつかの例示的実施形態である。当業者によって、本発明の実施形態に基づいて、創造的な活動を行うことなく取得される、全てのその他の実施形態は、本発明の保護範囲内に入る。
【００１２】
通信モード選択方法が、本発明によって提供され、図１に示すように、この方法は、以下のステップを含む。
【００１３】
Ｓ１０１：端末の現在の状態パラメータを取得し、状態パラメータは、端末によって現在使用されているアンテナの数を少なくとも含む。
【００１４】
端末によって現在使用されているアンテナは、受信アンテナであってもよく、また、送信アンテナであってもよい。
【００１５】
Ｓ１０２：状態パラメータが所定の条件を満たす場合、空間多重技術に対応するモードを、端末と、対応する基地局との間の通信のモードとして選択し、所定の条件は、アンテナの数が１より大きいことを少なくとも含む。
【００１６】
基地局については、受信アンテナと、送信アンテナとは、異なってもよく、上りリンク通信のモードと、下りリンク通信のモードとは、やはり異なってもよい、ということに留意されたい。受信アンテナが端末によって現在使用されている場合、これは、下りリンク通信が、端末と基地局との間で実施されていることを意味し、受信アンテナの数が１より大きい場合、空間多重技術に対応するモードが、端末と基地局との間の通信のモードとして選択される。反対に、送信アンテナが現在使用されている場合、これは、上りリンク通信が、端末と基地局との間で実施されていることを意味し、送信アンテナの数が１より大きい場合、空間多重技術に対応するモードが、端末と基地局との間の通信のモードとして選択される。
【００１７】
本実施形態によって提供される通信モード選択方法では、端末によって現在使用されているアンテナの数を、端末と基地局との間の通信モードを選択するための必要条件として考慮し、アンテナの数が１より大きい場合のみ、すなわち、１つのみのアンテナが現在使用されているのではない場合のみ、ＭＩＭＯ  Ｂモードが、通信のために選択されてもよい。言い換えると、端末が単一アンテナを現在使用している場合、ＭＩＭＯ  Ｂモードに入ることが拒否され、これにより、ＭＩＭＯ  Ｂモードにおいて単一アンテナを使用することによって発生するサービスジッタが回避され、ＭＩＭＯ技術のユーザ体験が向上する。
【００１８】
更に、図２に示すように、本実施形態において、端末の現在の状態パラメータを取得することは、以下のステップを含む。
【００１９】
Ｓ２０１：端末によって送信された、現在使用されているアンテナの数を含むメッセージを受信する。
【００２０】
メッセージは、次のフォーマットであってもよい。
【表１】
2013141208.tif 000003
【００２１】
Ｔｙｐｅは、新たに追加されたフィールドであり、端末によって使用されるアンテナの数を定義するために使用される。Ｔｙｐｅの長さは、１バイトであってもよく、下位４ビットが、受信アンテナの数を表し、上位４ビットが、送信アンテナの数を表す。
【００２２】
Ｓ２０２：メッセージを解析することによって、端末によって現在使用されているアンテナの数を取得する。
【００２３】
端末は、使用されるアンテナの数を、所定のサイクルに従って報告する方法で、又は、使用されるアンテナの数が変化した場合に報告する方法で、自発的に報告してもよい。本実施形態は、これらに限定されるものではなく、どの方法が採用されるかに関係なく、アンテナの数は、正確に取得されてもよい。
【００２４】
更に、異なる適用シナリオによれば、本実施形態の方法は、以下の２つの実施方策に更に分割される。
【００２５】
１．ＭＩＭＯ  Ｂモードが、端末によって、通信のために使用されてもよいということを決定したことに基づいて、この方法は、
端末によって現在使用されているアンテナの数を取得し、
アンテナの数が１より大きい場合、空間多重技術に対応するモードを、端末と、対応する基地局との間の通信のモードとして選択することを含む。
【００２６】
２．アンテナの数を、ＭＩＭＯ  Ｂモードを選択するための判断条件のうちの１つとして考慮し、この方法は、
端末によって現在使用されているアンテナの数と、現在使用されている変調及び復調方法と、現在のビットエラーレートとを取得し、
アンテナの数が１より大きく、現在使用されている変調及び復調方法が、上りリンク又は下りリンクの最高次、すなわち、６４ＱＡＭ−ＣＴＣ−５／６であり、かつ、最高次のビットエラーレートが、所定の値未満である場合、空間多重技術に対応するモードを、端末と、対応する基地局との間の通信のモードとして選択することを含む。
【００２７】
前述の３つの判断条件、すなわち、アンテナの数が１より大きいこと、変調及び復調方法が、６４ＱＡＭ−ＣＴＣ−５／６であること、及び、ビットエラーレートが、所定の値未満であることは、いかなる優先順位にも限定されず、３つの条件のうちのいずれか１つが満たされない場合、ＭＩＭＯ  Ｂモードは、端末と基地局との間の通信のモードとして選択されない、ということに留意されたい。
【００２８】
上記の２つの実施方策から、本発明の方法は、端末がＭＩＭＯ  Ｂモードを選択してもよいということの決定の後に、又は前に実施されてもよい、ということがわかるであろう。アンテナの数が１であると判定された場合、その他の条件が満たされるかどうかを判断する必要はない。
【００２９】
本発明の方法は、端末、及び基地局の両方に適用可能であることに留意されたい。この方法が端末に使用される場合、ＭＩＭＯ  Ｂモードを選択することの決定の後、端末は、結果を、基地局に更に報告する。
【００３０】
前述の方法に従って、本発明は、通信モード選択装置を更に提供し、図３に示すように、この装置は、
端末の現在の状態パラメータを取得するように構成された、状態パラメータ取得モジュール３０１と、
状態パラメータが所定の条件を満たす場合、空間多重技術に対応するモードを、端末と、対応する基地局との間の通信のモードとして選択するように構成された、通信モード選択モジュール３０２とを含み、所定の条件は、アンテナの数が１より大きいことを少なくとも含む。
【００３１】
更に、状態パラメータ取得モジュールは、
端末によって送信された、現在使用されているアンテナの数を含むメッセージを受信するように構成された、受信ユニットと、
端末によって使用されるアンテナの数を、メッセージから解析するように構成された、解析ユニットとを含む。
【００３２】
本実施形態によって説明される通信モード選択装置は、モバイル通信端末、及び基地局の両方に適用可能であり、端末によって現在使用されているアンテナの数を、ＭＩＭＯ  Ｂモードを選択するための必要条件として考慮し、これにより、単一アンテナを使用している場合に、ＭＩＭＯ  Ｂモードに入っている端末によって発生する、サービスジッタが回避される。この装置がモバイル通信端末に使用される場合、選択の結果は、対応する基地局に報告される。報告プロセスは、端末によって、基地局に情報を報告する、既存のプロセスと同じであり、従って、詳細はここでは繰り返さない。
【００３３】
各実施形態は、進歩的な方法を使用することによって、本発明を説明する。各実施形態は、他の実施形態との違いに焦点を合わせている。全ての実施形態の間で同じ、又は類似した部分については、関連する部分を参照されたい。
【００３４】
実施形態において開示された前述の説明は、当業者が、本発明を実施又は使用することを可能にする。これらの実施形態への複数の修正は、当業者にとって明らかである。本発明において規定された一般的原理は、本発明の精神又は範囲から逸脱することなく、他の実施形態において実施されることが可能である。従って、本発明は、本文献に記載された実施形態に限定されるものではなく、本文献において開示された原理及び新規性に適合する、最も広い範囲に及ぶものである。
【図１】
2013141208.tif 000004
【図２】
2013141208.tif 000005
【図３】
2013141208.tif 000006